(57)【要約】【課題】耐用年数が長く、応答時間が短く、防水防塵などの利点を有する機械キーボードスイッチを提供する。【解決手段】機械軸１は、軸コア１１及びスライダをむ。軸コア１１の上方にはキー１１１が設けられ、下方には第一位置決めロッド１１２が設けられる。ベース３の内底部の中心に第二位置決めロッド３１が設置され、第二位置決めロッド３１の中心にガイド孔３２が設置される。ＬＥＤライトの取り付け孔が設けられる側の隣接側には、ホーアスイッチの取り付け孔と軸コアスライドレールが設置される。ＬＥＤライトの取り付け孔が設けられる側の相対側には、ばね金の取り付け孔が設置される。キー１１１は、上カバー７の最上部を貫通し、第一位置決めロッド１１２は可動でガイド孔に嵌め込まれる。スプリング８は、機械軸１とベース３との間に設置され、一端が第一位置決めロッド１１２とカシメ接続し、その他端が第二位置決めロッド３１とカシメ接続する。【選択図】  図１
2017098219.tif 000002
【特許請求の範囲】
【請求項１】
機械軸と、
永久磁石と、
ベースと、
ＬＥＤライトと、
ホーアスイッチと、
ばね金と、
上カバーと、
スプリングと、
を含み、
前記機械軸は、軸コア及びスライダを含み、
前記軸コアと前記スライダとは、固定して接続され、あるいは、可動接続され、
前記軸コアの上方には、キーが設けられ、下方には、第一位置決めロッドが設けられ
前記スライダの側壁には、磁石取付溝が設置され、前記永久磁石が前記磁石取付溝の中に設置され、
前記ベースの内底部の中心には、第二位置決めロッドが設置され、
前記第二位置決めロッドの中心には、ガイド孔が設置され、
前記ベースの片側には、ＬＥＤライトの取り付け孔が設置され、前記ＬＥＤライトの取り付けに用いられ、
前記ＬＥＤライトの取り付け孔が設置されている前記ベース片側の隣接側には、ホーアスイッチの取り付け孔および軸コアスライドレールが設置され、
前記ホーアスイッチの取り付け孔は、前記ホーアスイッチの取り付けのために用いられ、
前記軸コアは、前記軸コアスライドレールとスリップフィットし、
前記ＬＥＤライトの取り付け孔が設置されている前記ベース片側の相対側には、ばね金の取り付け孔が設置され、前記ばね金の取り付けに用いられ、
前記上カバーは、取り外し可能に前記ベースにかぶせられており、
前記上カバーと前記ベースとは、結びつけられてキャビティを形成し、
前記キャビティ内にて、前記キーは前記上カバーの最上部を貫通し、前記第一位置決めロッドが前記ガイド孔に嵌め込まれ、前記第一位置決めロッドは前記ガイド孔に沿って上下に可動でき、
前記スプリングは、前記機械軸と前記ベースとの間に設置され、
前記スプリングの一端は前記第一位置決めロッドとカシメ接続し、他端は前記第二位置決めロッドとカシメ接続する機械キーボードスイッチ。
【請求項２】
前記ＬＥＤライトは、プラグインコネクタ式ＬＥＤライトである請求項１に記載の機械キーボードスイッチ。
【請求項３】
前記ばね金の左右両側には、それぞれ半円弧状のスライドレールが設置され、
前記スライドレールの下方であって、前記ばね金の基端部には、クランプフックが設置され、
前記ばね金は、前記クランプフックを介して前記ばね金の取り付け孔に固定される請求項１に記載の機械キーボードスイッチ。
【請求項４】
前記ベースの外側壁における２つの平行になる側壁には、いずれも第一パックルレッグが設置され、
前記上カバーの基端部の周囲には、それぞれ第二パックルレッグが設置され、
前記ベースと前記上カバーとは、前記第一パックルレッグと前記第二パックルレッグを介して同箇所に結びつけられる請求項１に記載の機械キーボードスイッチ。
【請求項５】
更に干渉防止カバーが設置され、
前記干渉防止カバーは、前記ホーアスイッチを覆う請求項１〜４のいずれか一項に記載の機械キーボードスイッチ。
【請求項６】
更に固定鉄板およびＰＣＢ板が設置され、
前記ＰＣＢ板は、前記固定鉄板の下方に平行に設置され、
前記固定鉄板には、第一中心孔が開設され、
前記第一中心孔のサイズは、前記ベースの外形寸法と整合して設置され、
前記ベースは、前記第一中心孔中にクランプされ、
前記ＰＣＢ板には、第二中心孔、ＬＥＤテープライトの取り付け孔及びジャックが開設され、
前記ベースにおける前記第二位置決めロッドの基端部は、前記第二中心孔に嵌め込まれ、
前記ＬＥＤテープライトの取り付け孔にＬＥＤテープライトが溶接され、
前記ホーアスイッチのピンが前記ジャックの中に溶接される請求項１〜４のいずれか一項に記載の機械キーボードスイッチ。
【請求項７】
前記ベースの外側壁には、係止部が設置され、
前記ベースは、前記係止部を介して前記第一中心孔の中に固定される請求項６に記載の機械キーボードスイッチ。
【請求項８】
前記キーは、断面が一字形、十字形又は三角形である柱状構造を採用する請求項１〜４のいずれか一項に記載の機械キーボードスイッチ。
【請求項９】
前記キーは半田点無しの取り付け方式を採用する請求項１〜４のいずれか一項に記載の機械キーボードスイッチ。
【発明の詳細な説明】
【技術分野】
【０００１】
本発明は、本発明は光電技術分野に属し、具体的にはホーア原理に基づくＬＥＤライトの機械キーボードスイッチに関する。
【背景技術】
【０００２】
今日、ますます多くのパソコンユーザとゲームのプレーヤは、パソコンの使用の快適性、手触り及び品質に対して、より高い要望を出している。パソコンの外部デバイスの一つであるキーボードとしても一部が変化しており、機械キーボードは、愛好者の最愛物ではなく、次第にますます多くの、品質と手触りを求める人々に認可される。
【先行技術文献】
【特許文献】
【０００３】
【特許文献１】特開平１１−３９９９６公報
【発明の概要】
【発明が解決しようとする課題】
【０００４】
ご承知の通り、機械キーボードの各キーはいずれも独立したキーボードスイッチで構成される。このようなキーボードスイッチは、ベース及び固定台座を含み、ベースと固定台座が同箇所に結びつけられて形成されたキャビティ中に、機械軸、スプリング、静的接点シート、動的接点シート及びＬＥＤライト等が設置される。上記構造の機械キーボードスイッチは、その自身構造の特徴の原因で、耐用年数が短く、スイッチの応答時間が長く、接触の安定性が低い等の問題が存在する。また、ほこり又は液体がキーボードスイッチに入った場合、キーボードスイッチの通常動作に影響を与えやすい。
【０００５】
従来の技術に存在する上記問題を解決するために、本発明は、耐用年数が長く、応答時間が短く、防水防塵などの利点を有するホーア原理に基づくＬＥＤライトの機械キーボードスイッチを提供する。
【課題を解決するための手段】
【０００６】
本発明の採用する技術的解決手段は以下のとおりである。ホーア原理に基づくＬＥＤライトの機械キーボードスイッチは、、機械軸、永久磁石、ベース、ＬＥＤライト、ホーアスイッチ、ばね金、上カバー及びスプリングを含む。
【０００７】
機械軸は、軸コア及びスライダを含む。コアとスライダとは、固定して接続され、あるいは、可動接続される。軸コアの上方にはキーが設けられ、下方には、第一位置決めロッドが設けられる。スライダの側壁には、磁石取付溝が設置され、永久磁石は磁石取付溝に設置される。
【０００８】
ベースの内底部の中心には、第二位置決めロッドが設置される。第二位置決めロッドの中心には、ガイド孔が設置される。ベース内の片側には、ＬＥＤライトの取り付け孔が設置され、ＬＥＤライトの取り付けに用いられる。前記ＬＥＤライトの取り付け孔が設置されているベースの片側との隣接側には、ホーアスイッチ取り付け孔および軸コアスライドレールが設置される。ホーアスイッチの取り付け孔は、ホーアスイッチの取り付けに用いられる。軸コアは、軸コアスライドレールとスリップフィットする。ＬＥＤライトの取り付け孔が設置されているベースの片側の相対側には、ばね金取り付け孔が設置され、ばね金の取り付けに用いられる。
【０００９】
上カバーは、取り外し可能にベースにかぶせられている。上カバーとベースとは、結びつけられてキャビティを形成する。キャビティ内にて、キーが上カバーの最上部を貫通し、第一位置決めロッドがガイド孔に嵌め込まれ、第一位置決めロッドがガイド孔に沿って上下に可動できる。スプリングが機械軸とベースと間に設置される。スプリングの一端は第一位置決めロッドとカシメ接続し、他端は前記第二位置決めロッドとカシメ接続する。
【００１０】
一態様では、ＬＥＤライトは、プラグインコネクタ式ＬＥＤライトである。
一態様では、ばね金の左右両側にそれぞれ半分円弧状のスライドレールが設置される。スライドレールの下方であって、ばね金の基端部には、クランプフックが設置される。ばね金は、クランプフックを介してばね金の取り付け孔に固定される。
【００１１】
一態様では、ベースの外側壁における２つの平行になる側壁には、いずれも第一パックルレッグが設置される。上カバーの基端部の周囲には、それぞれ第二パックルレッグが設置される。ベースと上カバーとは、第一パックルレッグと第二パックルレッグとを介して同箇所に結びつけられる。
【００１２】
一態様ではホーア原理に基づくＬＥＤライトの機械キーボードスイッチに更に干渉防止カバーが設置され、干渉防止カバーはホーアスイッチを覆う。
一態様ではホーア原理に基づくＬＥＤライトの機械キーボードスイッチには更に固定鉄板およびＰＣＢ板が設置される。ＰＣＢ板は、固定鉄板の下方に平行に設置される。固定鉄板には、第一中心孔が開設される。第一中心孔のサイズは、ベースの外形寸法と整合して設置される。ベースは、第一中心孔にクランプされる。ＰＣＢ板には、第二中心孔、ＬＥＤテープライトの取り付け孔及びジャックが開設される。ベースにおける第二位置決めロッドの基端部は。第二中心孔に嵌め込まれる。ＬＥＤテープライトの取り付け孔には、ＬＥＤテープライトが溶接される。ホーアスイッチのピンは、ジャックの中に溶接されている。
【００１３】
一態様では、ベースの外側壁に係止部が設置される。ベースは、係止部を介して第一中心孔に固定される。
一態様では、キーは、断面が一字形、十字形又は三角形である柱状構造を採用する。
一態様では、キーは、溶接点無しの取り付け方法を採用する。
以上の技術的解決手段を採用するため、本発明の有益な効果は以下のとおりである。本発明は、耐用年数が長く、応答時間が短く、防水防塵などという利点を有する。本発明は、機械スイッチの触感を失わない上に、段落感を有する。本発明は、構造がシンプルで、製作はポータブル的で、製造コストが低く、便利で迅速に機械スイッチを交換できる。本発明は多種類の色バックライトを発光するという効果が得られる。
【図面の簡単な説明】
【００１４】
【図１】本発明の一実施形態によるホーア原理に基づくＬＥＤライトの機械キーボードスイッチの分解斜視図である。
【図２】本発明の一実施形態によるホーア原理に基づくＬＥＤライトの機械キーボードスイッチの斜視図である。
【図３】本発明の一実施形態によるホーア原理に基づくＬＥＤライトの機械キーボードスイッチの分解斜視図ある。
【図４】本発明の一実施形態によるホーア原理に基づくＬＥＤライトの機械キーボードスイッチの分解斜視図である。
【図５】本発明の一実施形態によるホーア原理に基づくＬＥＤライトの機械キーボードスイッチの断面図である。
【発明を実施するための形態】
【００１５】
以下、本発明の実施の形態を図面に基づいて説明する。
（一実施形態）
図１と図２に示したように、本発明は一実施形態によるホーア原理に基づくＬＥＤライトの機械キーボードスイッチは、機械軸１、永久磁石２、ベース３、ＬＥＤライト４、ホーアスイッチ５、ばね金６、上カバー７及びスプリング８を含む。
【００１６】
機械軸１は、軸コア１１及びスライダ１２を含む。軸コア１１とスライダ１２とは、固定して接続される、あるいは、可動接続される。軸コア１１の上方はキー１１１で、その下方は第一位置決めロッド１１２である。スライダ１２の側壁には、磁石取付溝１２１が設置される。永久磁石２は、磁石取付溝１２１の中に設置される。
【００１７】
ベース３の内底部の中心には、第二位置決めロッド３１が設置される。第二位置決めロッド３１の中心には、ガイド孔３２が設置される。ベース３内の片側には、ＬＥＤライトの取り付け孔が設置され、ＬＥＤライト４の取り付けのために用いられる。更に、ＬＥＤライト４は、プラグインコネクタ式ＬＥＤライトを採用する。ＬＥＤライトの取り付け孔が設置されているベース３の片側との隣接側には、ホーアスイッチ取り付け孔、および、軸コアスライドレールが設置される。ホーアスイッチの取り付け孔は、ホーアスイッチ５の取り付けのために用いられる。軸コア１１は、軸コアスライドレールとスリップフィットする。ＬＥＤライトの取り付け孔が設置されているベース３の片側の相対側には、ばね金の取り付け孔が設置され、ばね金６の取り付けのために用いられる。更に、ばね金６の左右両側には、それぞれ半円弧状スライドレール６１が設置される。スライドレール６１の下方であって、ばね金６の基端部には、クランプフック６２が設置される。ばね金６は、クランプフック６２を介してばね金取り付け孔に固定される。
【００１８】
上カバー７は、取り外し可能にベース３にかぶせており、上カバー７とベース３との間にはキャビティが形成される。当該キャビティ内には、軸コア１１の上方のキー１１１が上カバー７の最上部を貫通する。軸コア１１の下方の第一位置決めロッド１１２は、ベース３の第二位置決めロッド３１のガイド孔３２に嵌め込まれる。第一位置決めロッド１１２は、ガイド孔３２に沿って上下に可動できる。スプリング８は、機械軸１とベース３との間に設置される。スプリング８の一端は第一位置決めロッド１１２とカシメ接続し、他端は第二位置決めロッド３１とカシメ接続する。
【００１９】
本実施形態において、ベース３の外側壁における二つの平行になる側壁には、いずれも第一パックルレッグが設置される。上カバー７の基端部の周囲には、それぞれ第二パックルレッグが設置される。ベース３と上カバー７とは、第一パックルレッグと第二パックルレッグとを介して同箇所に結びつけられるる。一方、本実施形態の機械キーボードスイッチは、分解、交換及びメンテナンスが行いやすい。また、ほこり又は液体が上カバー７とベース３とによって形成されたキャビティ内の部品との接触を回避できる。
【００２０】
本実施形態において、外部環境における磁界によるホーアスイッチ５に対する干渉を防止するために、本発明のホーア原理に基づくＬＥＤライトの機械キーボードスイッチにおいて、更に干渉防止カバー９が設置される。干渉防止カバー９は、ホーアスイッチ５を覆う。
【００２１】
また、図３〜図５に示したように、ＬＥＤライト４は更にＬＥＤテープライト４を採用することができる。ＬＥＤテープライト４を採用する場合、本発明のホーア原理に基づくＬＥＤライトの機械キーボードスイッチにおいて、更に固定鉄板１０１とＰＣＢ板１０２とが設置される。ＰＣＢ板１０２は、固定鉄板１０１の下方に平行に設置される。固定鉄板１０１には、第一中心孔１０１１が開設される。第一中心孔１０１１のサイズは、ベース３の外形寸法と整合して設置される。ベース３は、第一中心孔１０１１の中にクランプする。ＰＣＢ板１０２には、第二中心孔１０２１、ＬＥＤテープライトの取り付け孔１０２２及びジャック１０２３が開設される。ベース３における第二位置決めロッド３１の基端部は、第二中心孔１０２１の中に嵌め込まれる。ＬＥＤテープライト４は、ＬＥＤテープライトの取り付け孔１０２２の中に溶接される。ホーアスイッチ５のピンは、ジャック１０２３の中に溶接される。更に、ベース３の外側壁に係止部が設置される。係止部は、第一パックルレッグが設置されている側壁と隣接する側壁に設置される。ベース３は、係止部を介して固定鉄板１０１の第一中心孔１０１１の中に固定される。
【００２２】
上記実施例において、キー１１１の形状は変更でき、例えば、断面が一字形、十字形又は三角形である柱状構造を採用できる。更に、キー１１１は、半田点無しの取り付け方式を採用すれば、迅速で、容易にメンテナンス及び交換を行うことができる。
【００２３】
本発明の実施形態によるホーア原理に基づくＬＥＤライトの機械キーボードスイッチの作動過程は以下のとおりである。
初期状態下で、機械軸１は、永久磁石２とホーアスイッチ５とをずらして保持させる。このとき、電気回路はオフ状態となる。外力を軸コア１１のキー１１１に印加して軸コア１１を押した場合、スプリング８は圧縮状態となり、スライダ１２が軸コア１１に伴って押され、スライダ１２はばね金６のスライドレール６１と接触し、段落感を発生させる。それとともに、スライダ１２の永久磁石２が磁界を発生させ、ホーアスイッチ５に作用し、ホーアスイッチ５を通電させる。このとき、電気回路は通電状態となる。外力がなくなった場合、軸コア１１はスプリング８の付勢力で上向きにリセットし、永久磁石２とホーアスイッチ５とを再度ずらし、電気回路はオフ状態となる。電気回路が通電状態である場合、ＬＥＤライト４がバックライトを発光させるので、ユーザの使い勝手がよい。
【００２４】
本実施形態のホーア原理に基づくＬＥＤライトの機械キーボードスイッチは、上記構造の設計により、従来の技術における技術問題を解決でき、耐用年数が長く、スイッチ応答時間が短く、防水防塵などの利点を有する。この他、本実施形態では、機械スイッチの触感を失わない上に、段落感を有する。本実施形態は、構造がシンプルで、製作がポータブル的で、製造コストが低い。同時に本実施形態は、更にプラグインコネクタＬＥＤライト４とＬＥＤテープライト４を採用でき、プラグインコネクタＬＥＤライト４とＬＥＤテープライト４の発光した光を組み合わせて多種類の色の光を発光させ、多種類の色バックライトを発光するという効果が得られる。
【００２５】
本発明は上記最良な実施方式に局限されず、いかなる人が本発明の啓示下でもその他各種形式の製品を得ることができ、しかしその形状又は構造にいかなる変化があっても、本願と同じ又は近似する技術的解決手段を有する限り、いずれも本発明の保護範囲に所属する。
【符号の説明】
【００２６】
１・・・機械軸
１１・・・軸コア
１１１・・・キー
１１２・・・第一位置決めロッド
１２・・・スライダ
１２１・・・磁石取付溝
２・・・永久磁石
３・・・ベース
３１・・・第二位置決めロッド
３２・・・ガイド孔
４・・・ＬＥＤライト
５・・・ホーアスイッチ
６・・・ばね金
６１・・・スライドレール
６２・・・クランプフック
７・・・上カバー
８・・・スプリング
９・・・干渉防止カバー
１０１・・・固定鉄板
１０１１・・・第一中心孔
１０２・・・ＰＣＢ板
１０２１・・・第二中心孔
１０２２・・・ＬＥＤテープライト取り付け孔
１０２３・・・ジャック
【図１】
2017098219.tif 000003
【図２】
2017098219.tif 000004
【図３】
2017098219.tif 000005
【図４】
2017098219.tif 000006
【図５】
2017098219.tif 000007